(57)【要約】【課題】メカ部の駆動と充電池の充電動作を見かけ上並行して実行する際に、充電池チェック中にメカ部が動作して充電池チェックが中断することによる、不確実な充電池チェックを防止する。【解決手段】充電池チェック中に再生動作等が開始し、充電池チェックが中断すると、タイマで予め設定した一定時間を空けて再生動作の終了後に充電池チェックを再実行する。この充電池チェックの再実行結果に基づき、充電池を正確に判断し、急速充電を行うか否かを決定する。【選択図】　　　　　図１
2004088911.tif 000002
【特許請求の範囲】
【請求項１】
充電回路により充電可能な充電池により駆動され、記録媒体に記録された映像及び／または音声データを再生するメカ部を備え、前記充電池の充電動作を、前記メカ部の駆動時間を避けて行う携帯型電子機器において、
予め設定した経過時間を計るタイマを設け、前記メカ部の駆動動作の終了から前記タイマにて設定した時間の経過後に前記充電動作を行うことを特徴とする携帯型電子機器。
【請求項２】
前記メカ部の駆動動作は、前記記録媒体を回転駆動し、前記音楽情報等を再生する再生動作であることを特徴とする請求項１に記載の携帯型電子機器。
【請求項３】
前記メカ部の駆動動作は、前記記録媒体を出し入れ又は交換するトレー等の開閉動作であることを特徴とする請求項１に記載の携帯型電子機器。
【請求項４】
充電回路により充電され各部に動作電力を供給する充電池、音楽情報等が記録された記録媒体等を駆動するメカ部を有する再生部を備える携帯型電子機器の充電方法において、
比較的小さい充電電流で充電池チェックを行い、該充電池チェック中に前記メカ部が動作すると、前記充電池チェックを中断し、その後、一定時間を空け、且つ前記メカ部の動作終了後に前記充電池チェックを再度実行し、該充電池チェックの結果に基づいて比較的大きい充電電流で急速充電することを特徴とする携帯型電子機器の充電方法。
【請求項５】
前記充電池チェックを中断する前記メカ部の動作は、前記記憶媒体を回転させ前記音楽情報等を読み出す再生動作であることを特徴とする請求項４に記載の携帯型電子機器の充電方法。
【請求項６】
前記充電池チェックを中断する前記メカ部の動作は、前記記録媒体を保持するトレー等の開閉動作であることを特徴とする請求項４に記載の携帯型電子機器の充電方法。
【請求項７】
前記一定時間は、タイマにより予め設定することを特徴とする請求項４、５又は６に記載の携帯型電子機器の充電方法。
【請求項８】
前記充電池チェックが中断され再チェックを行う場合には、表示装置にその旨を表示することを特徴とする請求項４乃至７の何れかに記載の携帯型電子機器の充電方法。
【発明の詳細な説明】
【０００１】
【発明の属する技術分野】
本発明は携帯型電子機器に関し、例えば充電式内蔵電池（以下、充電池という）を有する携帯型電子機器およびその電源の充電方法に関する。
【０００２】
【従来の技術】
最近のオーディオ機器の音楽情報等の記録媒体としては、従来の磁気テープに代わりＣＤ（Ｃｏｍｐａｃｔ　Ｄｉｓｃ）又はＭＤ（Ｍｉｎｉ　Ｄｉｓｃ）等が多く用いられている。これらＣＤ又はＭＤ等の記録媒体には、予め音楽情報等をデジタル的に記録し、駆動モータによりＣＤ又はＭＤを回転させ、光ピックアップにより読み取ることにより、記録された音楽情報等を再生する。
【０００３】
斯かるオーディオ機器は、例えば充電池を内蔵し、外部からの電力供給を受けることなく充電池で一定時間動作可能な各種のポータブルオーディオ機器も開発され実用化している。しかし、ポータブルオーディオ機器は、小型軽量であることが好ましいので、充電池での動作時間は、一般的に比較的短い。そこで、外出（移動）時以外の時間には、斯かるポータブルオーディオ機器は、外部電源（商用電源）から電力を受けて充電池を充電する充電回路を備え、外出時のみ充電池で動作させるのが普通である。
【０００４】
図４は、典型的なポータブルオーディオ機器であるＭＤプレーヤの概略構成を示すブロック図である。このポータブルオーディオ機器１０は、ＭＤ再生部２０、充電池を含む充電回路３０、システムマイコン（マイクロコンピュータ）４１、メモリ（ＤＲＡＭ：Ｄｙｎａｍｉｃ　Ｒａｎｄｏｍ　Ａｃｃｅｓｓ　Ｍｅｍｏｒｙ）４２、ＡＴＲＡＣ（Ａｄａｐｔｉｖｅ　Ｔｒａｎｓｆｏｒｍ　Ａｃｏｕｓｔｉｃ　Ｃｏｄｉｎｇ）デコーダ４３、Ｄ／Ａコンバータ（デジタル・アナログ変換器）４４およびスピーカ４５により構成される。また、ＭＤ再生部２０は、光ピックアップ、スレッドモータおよびスピンドルモータ等を含むＭＤメカ部２１、サーボ制御回路２２および信号復調回路２３により構成される。
【０００５】
このポータブルオーディオ機器であるＭＤプレーヤ１０において、ＭＤ再生部２０は、デジタル記録媒体であるＭＤに記録された音楽データを読み取り再生する部分である。特に、ＭＤメカ部２１は、ＭＤを回転すると共に光ピックアップをＭＤのトラックに沿って一定速度で移動させる。サーボ制御回路２２は、ＭＤメカ部２１のモータの回転又は移動を一定値に制御する制御部である。信号復調回路２３は、ＭＤメカ部２１にて読み取られた音楽データを復調する。一方、充電回路３０は、充電池を内蔵し、ＭＤプレーヤ１０の各部に動作電力を供給すると共に、後述の如く、外部電源が供給されると、充電池を充電する。これらＭＤ再生部２０および充電回路３０は、ＭＤプレーヤ１０中で、最も大きな電流を消費する回路部分である。
【０００６】
システムマイコン４１は、マイクロプロセッサ（ＭＰＵ）を含み、ＭＤプレーヤ１０の各部の動作を制御する制御部である。ＤＲＡＭ４２は、ＭＤ再生部２０により再生した音楽データ又は音楽情報を一時的に記憶するメモリである。ＡＴＲＡＣデコーダ４３は、ＭＤに所定のフォーマットで圧縮記録された音楽データを復号する復号器である。Ｄ／Ａコンバータ４４は、ＡＴＲＡＣでコーダ４３から出力される音楽データ（デジタル）をアナログ信号に変換する変換器である。スピーカ４５は、Ｄ／Ａコンバータ４４によりアナログに変換された音楽信号を音響出力に変換する電気―音響変換器である。
【０００７】
ここで、ＭＤプレーヤ１０を外部電源に接続時には、充電回路３０は、充電池の充電を行う。これにより、充電池は、常に充電され、外出時には充電池によりＭＤプレーヤ１０を所定時間動作させることが可能である。尚、ＭＤ再生部２０は、ＭＤに記録された音楽データを間欠的に再生し、この再生休止期間中に充電回路３０により充電池の充電を行う。再生期間中に高速で読み出されたＭＤの音楽データは、上述の如くＤＲＡＭ４２に一時的に記録され、一定速度で読み出されるので、ＭＤ再生部２０の間欠的な再生動作に拘わらず、スピーカ４５からは、連続した音楽が再生される。これにより、ＭＤ再生部２０の再生動作と充電回路３０による充電池の充電動作とを、見かけ上は並行して行うことが可能である。
【０００８】
次に、充電回路３０による充電池の充電動作について説明する。この充電動作は、例えば２００ｍＡの小充電電流Ａと、例えば８００ｍＡの大充電電流Ｂの２種類の充電電流により行う。即ち、充電池を大充電電流Ｂにより急速充電する前に、小充電電流Ａにより一定時間（例えば、１０秒間）のみ充電することにより充電池のチェックを行う。即ち、小充電電流Ａによる充電池の充電により、その端子電圧の変化をチェックし（以下、充電池チェックという）、その劣化又は規定電池以外の電池が内蔵されている等の異常状態でないことを確認後に、大充電電流Ｂによる急速充電を行うことにより安全を確保する。
【０００９】
図５は、従来のポータブルオーディオ機器の充電池の充電動作を説明するフローチャートである。先ず、充電電流Ａ（小電流）をｏｎとして、充電池チェックを開始し（ステップＳ１）、この充電池チェック時間のためのタイマを起動する（ステップＳ２）。次に、充電池の端子電圧が正常か否か判断する（ステップＳ３）。充電池の端子電圧が正常でない場合（ステップＳ３：Ｎｏ）には、充電電流Ａをｏｆｆとして充電又は充電池チェックを中止する（ステップＳ８）。一方、充電池の端子電圧が正常な場合（ステップＳ３：Ｙｅｓ）には、ＭＤ再生部２０が再生動作開始したか否か判断する（ステップＳ４）。再生開始すると（ステップＳ４：Ｙｅｓ）、充電電流Ａをｏｆｆとし、充電池チェックを中断する（ステップＳ５）。ＭＤ再生部２０の再生動作でないと（ステップＳ４：Ｎｏ）、充電池チェック用タイマはタイムアウトしたか否か判断する（ステップＳ６）。タイマがタイムアウトすると（ステップＳ６：Ｙｅｓ）、充電電流Ｂをｏｎとして急速充電を行う（ステップＳ７）。一方、タイマがタイムアウトしない場合には（ステップＳ６：Ｎｏ）、上述したステップＳ３へ戻りタイマのタイムアウトを待つ。
【００１０】
【発明が解決しようとする課題】
しかし、上述した小充電電流Ａによる充電池チェック中にＭＤ再生部２０の再生動作が開始すると、このＭＤ再生部２０、特にＭＤメカ部２１は大電流を消費するので、正確な充電池チェックが不可能である。そのために、ＭＤ再生部２０が再生動作を開始すると、小充電電流Ａをｏｆｆとして、充電池チェック動作を中断する必要があり、ばらつきの少ない正確な判断ができないという課題があった。この課題は一般の携帯型電子機器でも同様に生ずる。
【００１１】
【発明の目的】
本発明は、従来技術の上述した課題に鑑みなされたものであり、充電池チェック中にＭＤ再生動作に入った場合でも正確に判断可能にする携帯型電子機器およびその充電方法を提供することを目的とする。
【００１２】
【課題を解決するための手段】
前述の課題を解決するため、本発明による携帯型電子機器およびその充電方法は次のような特徴的な構成を採用している。
【００１３】
（１）充電回路により充電可能な充電池により駆動され、記録媒体に記録された映像及び／または音声データを再生するメカ部を備え、前記充電池の充電動作を、前記メカ部の駆動時間を避けて行う携帯型電子機器において、
予め設定した経過時間を計るタイマを設け、前記メカ部の駆動動作の終了から前記タイマにて設定した時間の経過後に前記充電動作を行う携帯型電子機器。
【００１４】
（２）前記メカ部の駆動動作は、前記記録媒体を回転駆動し、前記音楽情報等を再生する再生動作である上記（１）の携帯型電子機器。
【００１５】
（３）前記メカ部の駆動動作は、前記記録媒体を出し入れ又は交換するトレー等の開閉動作である上記（１）の携帯型電子機器。
【００１６】
（４）充電回路により充電され各部に動作電力を供給する充電池、音楽情報等が記録された記録媒体等を駆動するメカ部を有する再生部を備える携帯型電子機器の充電方法において、
比較的小さい充電電流で充電池チェックを行い、該充電池チェック中に前記メカ部が動作すると、前記充電池チェックを中断し、その後、一定時間を空け、且つ前記メカ部の動作終了後に前記充電池チェックを再度実行し、該充電池チェックの結果に基づいて比較的大きい充電電流で急速充電する携帯型電子機器の充電方法。
【００１７】
（５）前記充電池チェックを中断する前記メカ部の動作は、前記記憶媒体を回転させ前記音楽情報等を読み出す再生動作である上記（４）の携帯型電子機器の充電方法。
【００１８】
（６）前記充電池チェックを中断する前記メカ部の動作は、前記記録媒体を保持するトレー等の開閉動作である上記（４）の携帯型電子機器の充電方法。
【００１９】
（７）前記一定時間は、タイマにより予め設定する上記（４）、（５）又は（６）の携帯型電子機器の充電方法。
【００２０】
（８）前記充電池チェックが中断され再チェックを行う場合には、表示装置にその旨を表示する上記（４）乃至（７）の何れかの携帯型電子機器の充電方法。
【００２１】
【発明の実施の形態】
以下、本発明による携帯型電子機器およびその充電方法の好適実施形態の構成および動作を、添付図面を参照して詳細に説明する。
【００２２】
図１は、本発明による携帯型電子機器としてポータブルオーディオ機器を用いた好適実施形態の充電池の充電動作を説明するフローチャートである。本実施形態のポータブルオーディオ機器（例えば、ＭＤプレーヤ）は、充電池チェックのために従来のタイマ（タイマＡ）に加えて、充電池チェック中断後の時間経過をチェックする別のタイマ（タイマＢ）を設けている。これにより、充電池チェック中断直後の不安定期間中における充電池チェックを回避し、正確な充電池チェックを可能にする。
【００２３】
次に、図１のフローチャートに基づいて本実施形態のポータブルオーディオ機器の動作を説明する。充電電流Ａをｏｎとして充電池チェックを開始し（ステップＡ１）、同時に第１タイマ（タイマＡ）を起動する（ステップＡ２）。次に、充電池の端子電圧が正常か否かチェックする（ステップＡ３）。充電池の端子電圧が正常でない場合（ステップＡ３：Ｎｏ）には、充電電流Ａをｏｆｆとし、充電を中止する（ステップＡ１１）。一方、充電池の端子電圧が正常である場合（ステップＡ３：Ｙｅｓ）には、再生動作開始か否かチェックする（ステップＡ４）。再生動作開始でない場合（ステップＡ４：Ｎｏ）には、後述するステップＡ９へ移行する。再生動作を開始している場合（ステップＡ４：Ｙｅｓ）には、充電電流Ａをｏｆｆとし、充電池チェックを中断すると共に第２タイマ（タイマＢ）を起動する（ステップＡ５）。
【００２４】
次に、タイマＢがタイムアウトしたか否かチェックする（ステップＡ６）。タイマＢがタイムアウトしていない場合（ステップＡ６：Ｎｏ）には、ステップＡ６へ戻り、タイムアウトを待ち、タイマＢがタイムアウトした場合（ステップＡ６：Ｙｅｓ）には、再生動作が終了したか否かチェックする（ステップＡ７）。再生動作が終了していない場合（ステップＡ７：Ｎｏ）には、ステップＡ７へ戻り再生動作の終了を待つ。一方、再生動作が終了している場合（ステップＡ７：Ｙｅｓ）には、充電電流Ａをｏｎとし、タイマＡを再び起動して、充電池チェックを再開する（ステップＡ８）。
【００２５】
その後、タイマＡがタイムアウトしたか否かをチェックする（ステップＡ９）。タイマＡがタイムアウトしていない場合（ステップＡ９：Ｎｏ）には、上述したステップＡ３へ戻る。一方、タイマＡがタイムアウトした場合（ステップＡ９：Ｙｅｓ）には、充電電流Ｂをｏｎとし、充電池の急速充電を開始する（ステップＡ１０）。尚、タイマＢの時間は、充電池チェックにより上昇した端子電圧の復帰特性等に応じて予め設定する。
【００２６】
次に、図２を参照して、本発明による携帯型電子機器（一例としてポータブルオーディオ機器）１０の充電池の充電動作を説明する。図２において、横軸は時間（秒）および縦軸は充電池の端子電圧（Ｖ）の充電特性曲線を示す。先ず、図２（Ａ）において、充電特性曲線Ａ１は正常な充電池の充電特性を示し、充電特性曲線Ｂ１は異常な電池の充電特性を示す。時間０秒において、両方の充電特性Ａ１およびＢ１の端子電圧は、共にＶ１であったとする。このとき、充電電流Ａがｏｎとなると、正常な充電池の充電特性Ａ１は、比較的低い傾斜で徐々に充電されて、例えば１０秒後に端子電圧がＶ２となる。このとき、充電電流Ｂがｏｎとなり、その後は図示の如く急傾斜で急速充電される。しかし、異常な電池の充電特性Ｂ１の場合には、充電電流Ａにより端子電圧が急速に上昇し、閾値電圧Ｖｒを超える。従って、図１のフローチャートにおける充電池の端子電圧チェック（ステップＡ３）で異常が検出され、充電電流Ａをｏｆｆとして充電を中止する。これにより、電池の端子電圧は急速に低下する（尚、この電池は、充電電流Ｂで充電されることはない）。
【００２７】
一方、図２（Ｂ）の場合には、充電特性曲線は、正常な電池の充電特性であり、図２（Ａ）の充電特性曲線Ａ１と同様である。しかし、異常な電池の充電特性曲線Ｂ２の場合には、充電電流Ａをｏｎにして充電を開始してから１秒後に再生動作が開始すると、従来技術では、充電電流Ａがｏｆｆにされるので、電池の端子電圧はＶ３間で上昇するが、閾値電圧Ｖｒ未満である。従って、電池の異常が検出されず、１０秒後に充電電流Ｂがｏｎとなり、大電流で充電される場合がありえる。その場合には、端子電圧が異常に上昇する恐れがあり危険である。しかし、本実施形態によるポータブルオーディオ機器１０によると、図１のフローチャート中のステップＡ８に示す如く、再生動作終了後に充電電流Ａをｏｎとするので、図２（Ｂ）を参照して上述した如き異常な電池のチェック漏れは確実に回避可能である。
【００２８】
尚、上述した本発明の好適実施形態では、消費電力が大きい再生動作と充電動作の組み合わせの場合について説明した。しかし、ＭＤ又はＣＤのトレー又はリッドを電動操作するポータブルオーディオ機器では、これらトレーやリッドの開閉時にも同様の課題を有する。そこで、本発明の他の実施形態では、図３のフローチャートに示す如く、再生動作に代えてトレーの開閉動作としている。即ち、ステップＢ１〜Ｂ１１のうち、ステップＢ４およびＢ７は、「再生動作」を「トレーの開閉」とし、それ以外のステップは図１と同様である。尚、タイマＢの時間は、トレーの開閉後に充電池の端子電圧が安定するために必要な時間に応じて設定する。また、図１中のステップＡ６およびＡ７（および図３中のステップＢ６およびＢ７）の順序を逆にしてもよい。
【００２９】
以上、本発明による携帯型電子機器およびその充電方法の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、本発明の携帯型電子機器には、表示装置又は表示器を設け、充電池チェックの再実行、急速充電等を表示するよう構成してもよい。
【００３０】
【発明の効果】
以上の説明から理解される如く、本発明の携帯型電子機器およびその充電方法によると、次の如き実用上の顕著な効果が得られる。即ち、充電池チェック中に再生動作が開始すると、充電池チェックを中断するが、その後一定時間を空け且つ再生動作の終了後に充電池チェックを再度実行する。そして、その充電池チェック結果に基づき、急速充電を行うか否か判断するので、正確な判断が可能である。即ち、不確実な充電池チェック結果に基づき充電動作を行うことがないので、トラブルの発生を確実に阻止可能である。
【図面の簡単な説明】
【図１】本発明による携帯型電子機器の好適実施形態の充電動作を説明するフローチャートである。
【図２】携帯型電子機器の充電動作を説明する充電特性図である。
【図３】本発明による携帯型電子機器の他の実施形態の充電動作を説明するフローチャートである。
【図４】典型的なＭＤプレーヤの構成を示すブロック図である。
【図５】従来のＭＤプレーヤの充電動作を説明するフローチャートである。
【符号の説明】
１０　携帯型電子機器（ポータブルオーディオ機器、ＭＤプレーヤ）
２０　ＭＤ再生部
２１　メカ部
３０　充電回路
４１　システムマイコン（制御部）
４２　メモリ
【図１】
2004088911.tif 000003
【図２】
2004088911.tif 000004
【図３】
2004088911.tif 000005
【図４】
2004088911.tif 000006
【図５】
2004088911.tif 000007